(57)【要約】【課題】  打球を収集するために、網体に設けるポケットの形成が簡単にできると共に、横ずれした打球の位置が判明しやすくて、打球を集めることや装置の取扱いが簡単にできるゴルフ練習装置の提供を目的とする。【解決手段】  棒体を枠形に形成した取付枠に、この取付枠を傾斜した状態で支持する脚柱を設けて基台とした。この基台を形成する取付枠には、網体を波形に折曲して配設すると共に、この網体の折曲部分で打球収集用のポケットを形成するために、ポケット形成紐を網体に設けることで、捕球網を形成した。  この捕球網と前記基台とを取付手段により取付けることで、ゴルフ練習装置とした。【選択図】        図１
2005312879.tif 000002
【特許請求の範囲】
【請求項１】
棒体を枠状に形成した取付枠と、この取付枠を傾斜した状態で支持させる脚柱とを設けた基台と、
この基台を形成する前記取付枠に配設する網体と、この網体を波形に折曲して、この折曲部分でポケットを形成するためのポケット形成紐を前記網体に設けた捕球網と、
この捕球網と前記基台を形成する取付枠とを、互いに取付けするために設けた取付手段とからなるゴルフ練習装置。
【請求項２】
棒体を枠状に形成した取付枠と、この取付枠を傾斜した状態で支持させる脚柱とを設けた基台と、
この基台を形成する前記取付枠に配設する網体と、この網体を波形に折曲して、この波形部分でポケットを形成すると共に、前記網体とは異なる色調で、その両端に取付用の輪を設けたポケット形成紐を前記網体に配設した捕球網と、
この捕球網を形成するポケット形成紐の両端に設けた取付用の輪を取付けるために、前記取付枠に設けた取付手段とからなるゴルフ練習装置。
【請求項３】
棒体を枠状に形成した取付枠と、この取付枠を傾斜した状態で支持する共に、折畳み可能な状態で形成した脚柱とを設けた基台と、
この基台を形成する前記取付枠に配設する網体と、この網体を波形に折曲して、この波形部分でポケットを形成するためのポケット形成紐を前記網体に設けた捕球網と、
この捕球網と前記基台を形成する取付枠とを、互いに取付けするために設けた取付手段とからなるゴルフ練習装置。
【請求項４】
棒体を枠状に形成した取付枠と、この取付枠を傾斜した状態で支持させる脚柱とを設けた基台と、
この基台を形成する前記取付枠に配設する網体と、この網体を波形に折曲して、この波形部分で複数のポケットを形成すると共に、その両端に取付用の輪を備えて前記網体に取付けるポケット形成紐を前記網体に設けた捕球網と、
この捕球網に設けられ、その両端に取付用の輪を設けた複数のポケット形成紐の間隔を略等間隔に設定すると共に、前記網体の長手方向の二等分線に対して、対称の位置に配設したことにより、捕球網の表裏や取付向きに関係なく取付けられるようにしたことを特徴とするゴルフ練習装置。
【請求項５】
棒体を枠状に形成した取付枠と、この取付枠を傾斜した状態で支持させる脚柱とを設けた基台と、
この基台を形成する前記取付枠に配設する網体と、この網体を波形に折曲して、この波形部分でポケットを形成するためのポケット形成紐を、前記網体の網目に挿入して一直線状に取付けすると共に、このポケット形成紐の張り強度を、調整可能な状態で設けた捕球網と、
この捕球網と前記基台を形成する取付枠とを互いに取付けする取付手段とからなるゴルフ練習装置。
【請求項６】
棒体を枠状に形成した取付枠と、この取付枠を傾斜した状態で支持させる脚柱とを設けた基台と、
この基台を形成する前記取付枠に配設する網体と、この網体の長手方向に対し直交して配置すると共に、紐よりなるポケット形成紐の複数本を、互いに離間させて前記網体の網目に通して配設した捕球網と、
この捕球網に取付けた前記複数のポケット形成紐の間隔よりも、短い間隔に設定して前記取付枠に配設した捕球網用の取付手段とからなり、前記ポケット形成紐の部分で、前記網体を波形に折曲することで、打球を集収するポケットを形成したことを特徴とするゴルフ練習装置。
【発明の詳細な説明】
【技術分野】
【０００１】  本発明は、ゴルフの練習のうち特にアプローチを主とした練習装置であり、屋外はもとよりショートアプローチ専用として、室内でも使用ができるように改善したゴルフ練習装置に関する。
【背景技術】
【０００２】  従来例のゴルフ練習装置によるアプローチの練習には、傾斜した状態で支持するフレーム内を三分割して、その下端側に平坦面を有するネットを配設し、フレーム内の中間部と上部には、Ｕ字形に垂れ下ってそれぞれに標的を設けたゴルフのアプローチ練習用ネットがある（例えば特許文献１参照）。
また、打球の位置を知ることができるように、紐で複数のます目を形成し、そのます目を開口部としてそれぞれの開口部に袋状のポケットを設けたゴルフ等の練習具がある。（例えば特許文献２参照）。
【特許文献１】  実用新案登録第３０２７１１８号公報（第４頁、図６、図７）
【特許文献２】  実開昭６１−５１８７３号公報（第４頁、図１、図２）
【発明の開示】
【発明が解決しようとする課題】
【０００３】  特許文献１に示すゴルフのアプローチ練習用ネットは、ショートアプローチの練習の際に、ネット迄の距離が近いために、打球の当った位置が判明しにくいという欠点があった。
特に下側のネットは平坦に張られている理由で、跳ね返りが強くなって球の当った位置がわかりにくいだけではなくて、横方向に飛んだ球を取りに行くのが面倒であった。
中段、上段のＵ字形に垂れ下ったネットは、深さがあるのでボールを集めるには、前側から取ることができずに、横方向から屈んで集めなければならなかった。
また、Ｕ字形のネットが深いことは、横方向に打球がずれると、ネットとボールの当った位置や、打球の球種によって落下位置がずれてしまうから、横ずれの程度を推察することが困難であった。
更に図７からも判明するように、使用時の起立姿勢が不安定であるばかりでなく、練習後にそのまま室内に放置するには、広い空間が必要であるという欠点もあった。
特許文献２で示すゴルフ等の練習具は、打球の位置が判明しやすいという利点があるものの、多くのポケットが必要であるから、高価になるばかりでなく製造が困難であった。
また、たくさん配置されたポケット毎のボールを、集めることも面倒であるという欠点があった。
本発明は、このような欠点を解消するためになされたものであり、ポケットの形成が簡単にできると共に、横ずれした打球の位置が判明しやすくて、打球を集めることや装置の取扱いが、簡単にできるゴルフ練習装置の提供を目的とする。
【発明を解決するための手段】
【０００４】  上記不具合を解消するために、本発明は次のような構成としている。
請求項１に記載したゴルフ練習装置は、棒体を枠形に形成した取付枠を、傾斜した状態に支持させる脚柱を設けて基台とした。この基台を形成する取付枠に配設する網体を、波形に折曲すると共に、この折曲部分でポケットを形成するためのポケット形成紐を、網体に設けて捕球網を形成した。
この捕球網と前記取付枠とを互いに取付けする取付手段により、基台に捕球網を取付けすることで、ゴルフ練習装置とした。
このゴルフ練習装置によれば、傾斜した状態で配設された捕球網のポケット内に、打球を集中させることで、アプローチ専用の練習ができるものである。
請求項２に記載したゴルフ練習装置は、請求項１に記載したポケット形成紐の色を、網体の色と異ならせることにより、打球の目標であるポケットの位置が、良くわかるように配慮したものである。
請求項３に記載したゴルフ練習装置は、請求項１に記載した基台を、折畳み可能に形成したことにより、室内での使用後に、室の隅の狭い空間に仮置きできるようにした。
請求項４に記載したゴルフ練習装置は、請求項１に記載したポケット形成紐を、網体の長手方向の二等分線に対して、対称となるように配置すると共に、ポケット形成紐の間隔が、互いに略等間隔となるように設定した。
このような配置により、捕球網の表裏や取付けの向きに注意することなく、取付けできるようにしたことで、間違いによる再取付けなどを不要とした。
請求項５に記載したゴルフ練習装置は、請求項１に記載したポケット形成紐を、網体の網目に挿入して一直線状に張設すると共に、張り渡したこのポケット形成紐の張り強度を、調整可能な状態にした。
このポケット形成紐の張りが強いと、球が当った時の跳ね返りが強くなって、周囲に危険を及ぼす恐れがあるし、弱いとポケットの形成が不安定になるので、最良の状態に設定できるようにしたものである。
請求項６に記載したゴルフ練習装置は、請求項１に記載したポケット形成紐の複数本を、互いに離間させて網体の長手方向と直交させると共に、網体の網目に通して配設することで捕球網を形成した。
この捕球網は、取付けすべき取付枠に設けた複数の取付手段の間隔を、捕球網に設けた複数のポケット形成紐の間隔よりも短く設定することで、網体にたるみを持たせると共に、このたるみを利用してポケット形成紐の部分で、打球集収用のポケットを形成したものである。
このように形成したポケットは、袋状の専用ポケットが不要であり、捕球網の表裏を逆にして取付枠に取付けても、網体は波形に折曲できるので、同様のポケットが得られる作用を持っている。
【発明の効果】
【０００５】  本発明によれば、取付枠に取付けた網体に、ポケット形成紐を用いて波形のポケットを形成することで、以下の効果を得ることができた。
すなわち、高さの異なる複数のポケットを設けたことで、打球の距離と球種とを打ち分けることができるから、効率の良い練習ができる。
ポケットは、網体を波形に折曲するだけで簡単に形成できるだけでなく、その深さを浅く形成したので、横方向にずれた打球もほぼ真下に落下するから、ずれの程度がわかりやすいだけでなく、装置の前方から球を集めることが簡単にできる。
ポケットの形成紐がゆるいと、ポケットがたるんでしまうし、強すぎると球が当った場合に跳ね返りが大きくなって危険であり、打球の方向が分かりにくくなる。しかし、ポケット形成紐の長さを調整可能にしたので、球が当っても跳ね返りの生じない強さに設定することが、簡単にできるものである。
本装置は折り畳んで仮置きができるし、捕球網の取付向きに注意することなく組立ができるので、取扱いが非常に簡単である等の多くの効果を得ることができた。
【発明を実施するための最良の形態】
【０００６】  本発明について、図面を参照して説明する。図１は本発明のゴルフ練習装置を示す斜視図、図２は図１の分解斜視図である。
本発明のゴルフ練習装置１０は、図１で示すようにパイプ材などの棒体を枠状に形成して、傾斜状態で起立させた基台１２と、この基台に取付けられ打球を収容する複数のポケット４２を設けた捕球網４０とからなる。
この基台１２と捕球網４０とは、図２で示すように分解できて、容易に着脱可能な状態で形成している。
図２で示すように基台１２は、捕球網４０を取付けると共に、起立状態の先端部を手前側に折曲した枠状の取付枠２０と、この取付枠を傾斜させて支持する脚柱３０とからなる。
この脚柱３０は、取付枠２０の中間部で、図中の矢印Ａで示すように、回動可能な状態で接続されると共に、連結桟３７を用いて、脚柱３０の下端と取付枠２０の下端とを、互いに接続している。この連結桟３７も、脚柱３０とは図中の矢印Ｂで示すように、回動可能な状態で取付けている。
捕球網４０は、打った球を止めることができるような網目を有する網体よりなり、その高さを変えて複数のポケット４２を設けている。このポケット４２は、網体を波形に折曲して形成すると共に、このポケット内に打った球を収容する場所である。【０００７】  このような基台１２と捕球網４０とについて、図面を参照して更に詳細に説明する。図３は図２で示す基台を分解して示す斜視図、図４は図３で示す取付枠の分解斜視図、図５は図３で示す脚柱の分解斜視図である。
基台１２は図３で示すように、取付枠２０と脚柱３０とに分解することが可能で、両者は蝶ボルト１４等を用いて固定している。このような取付枠２０と脚柱３０とは、連結桟３７で接続され、両者の回転移動を阻止することで、安定した状態で基台１２を起立させている。
取付枠２０は図４で示すように、その先端部を折曲した１対の主柱２２と、この主柱の両端のうち、図中の上端を連結するＵ字状の連結具２６と、下端を連結するＵ字状の連結具２８とからなる。
パイプ材よりなる主柱２２の両端中空部には、棒状の差込み２５が圧入され、その先端を突出した状態で取付けられている。この差込み２５には、パイプ材よりなる連結具の中空部が挿入されて、取付枠２０を形成する。
主柱２２の上端を連結する連結具２６には、複数箇所に小孔２７が設けられて、前述した捕球網４０を取付けるための取付手段としている。
主柱２２には脚柱３０を取付けるために、図３で示した蝶ボルト１４取付用のねじ孔２４と、捕球網４０を取付ける取付手段としての小孔２３とを、複数個所に設けている。
このような主柱２２と連結具２６及び連結具２８とは、主柱２２の両端に設けた棒状の差込み２５に挿入して、図３で示す取付枠２０を形成する。【０００８】  脚柱３０は図５で示すように、パイプ材よりなる棒体の一端に差込み３５を設けた１対の支え本体３２と、この支え本体の差込み３５に挿入して、１対の支え本体３２を連結するＵ字状の連結具３６とで、脚柱３０を形成している。
また、この脚柱３０と前述した取付枠２０とは、連結桟３７で接続することで、取付枠２０を起立状態に設定している。
連結桟３７は帯状の板体よりなり、その一端には蝶ボルト１４を挿入する小孔３９と、他端側には取付枠２０の下端に取付けた蝶ボルトに差込むための切欠き３８とを設けている。
この切欠き３８内に蝶ボルトを位置させると共に、取付枠２０と脚柱３０を接続する蝶ボルトと、連結桟３７の両端に取付けられた蝶ボルトを締付けることで、取付枠２０を傾斜した状態に維持するものである。【０００９】  捕球網について、図面を参照して説明する。図６は捕球網を示す斜視図、図７は図６で示すポケット形成紐の取付けを示す説明図、図８は図４で示した取付枠の小孔へ捕球網用の取付手段を取付ける説明図である。
捕球網４０は図６で示すように、長方形の網体４１よりなり、網目は打球を止めることができる大きさである。網体４１の中間部には、打球を集合させるポケット４２形成用としての、ポケット形成紐４４を配設している。
図６で示す例では、４個所のポケットを形成するために、４本のポケット形成紐を設けている。このポケット形成紐の両端には、輪４５を形成して、取付枠２０に設けた取付手段としての、フックに取付けるようにしている。
この複数のポケット形成紐４４は、等間隔に設定すると共に、長方形の網体４１の長手方向を、二分した図中で示す中心線Ａ−Ａに対して、対称的に配設している。
このような配設によれば、取付枠２０への取付けに際して、捕球網の表裏や、上下方向の取付向きに注意することなく、容易に取付けできるものである。【００１０】  このポケット形成紐４４の取付けは、図７で示すように網目の中へ一直線に通すことにより、網目で位置決めされる。網体４１の両端とポケット形成紐とは、互いに結束されて固着すると共に、ポケット形成紐の両端部に輪４５を形成することは、前述した通りである。
また、ポケット４２を形成するために、ポケット形成紐４４の取付間隔は、取付枠２０に設けた取付手段としての、フック間の間隔よりも広く設定している。
例えば、取付枠２０に配設した取付手段の間隔を３０センチとして、捕球網に取付けたポケット形成紐４４の間隔を５０センチに設定すると、深さが略１０センチのポケットが得られるものである。
従って、必要なポケットの深さと、取付手段との間隔を設定すれば、ポケット形成紐間の間隔が決められるものである。
このようなポケット形成紐４４は、ポケット４２の前方頂部に配置されるので、ポケット形成紐の色を網体４１の色と変えて、目立つ色の紐を使用すると、ポケットの存在位置が明確になって、打球時の目標物ともなるから、目印として使用することができる。
また、複数のポケットを形成するポケット形成紐の色を、それぞれ変えることによって、高さ方向の目印ともなるから、更に目標物としての作用や効果が高くなるものである。【００１１】  このように形成した捕球網４０の取付けについて説明する。
捕球網４０を取付けるには、先ず図８で示すように、図４で説明した取付枠２０の小孔２３に、捕球網用の取付手段１６を取付けする。
取付手段１６は、その一端を湾曲させた掛止部を設けると共に、他端側にはボルトを形成したフック１７と、このフックに取付ける湾曲座金１８とナット１９とからなる。
フック１７は取付枠２０の小孔２３に、枠体の内側からボルト部分を先頭にして挿入すると共に、先端を突出させたボルト部分に、湾曲座金１８とナット１９とを取付けるものである。
従って、このような取付状態では、図中の矢印Ａで示す方向に、フックが移動できるように取付けしている。尚、この取付手段１６は、ポケット形成紐４４の両端に設けた輪４５を、掛止するものであるから、取付枠２０を形成する１対の主柱２２に設けた小孔２３の全てに装着させている。
尚、取付枠２０を形成する上側のＵ字状連結具２６に設けた複数の小孔２７にも、取付手段１６を装着することは当然である。【００１２】  取付手段１６を設けた取付枠２０に対して、捕球網４０を取付けてからポケットを形成する。このポケット４２の形成方法について説明する。図９は捕球網によるポケットの形成を示す説明図である。
取付枠２０を形成する上部側の連結具２６の取付手段１６に、捕球網４０の長手方向の一端の網目を掛止することによって、捕球網４０を吊下げた状態に設定する。
更に、ポケット形成紐の両端に設けた輪４５を、取付枠２０の両側に設けた取付手段１６としての、フック１７に掛止することで、捕球網の取付けが完了する。捕球網４０の下端側は、そのまま垂れ下った状態にするか、又は取付枠下側の連結具２８の下側へ、巻き込んだ状態に設定しても良い。
このように取付けした捕球網４０は、ポケット形成紐４４の部分を図９で示すように、波形に湾曲させて折曲することで、ポケット形成紐４４の裏側である垂れ下った袋状部分を、ポケット４２とするものである。この状態が図１で示すゴルフ練習装置１０である。
ポケット形成紐４４の張り具合は、図８で示したフック１７の締付を可変することで、図中の矢印Ａ方向に移動できるように設定しているから、フック１７の締付程度によって、紐の張り具合を調整できるようにしたものである。
ポケット形成紐４４の張り方が強い場合は、紐に当った打球の跳ね返りが強くなって、危険な場合も考えられるから、打球の強さを吸収して跳ね返りが小さくなるように、設定することができる。また、紐の張り具合が弱すぎると、ポケット４２が垂れ下ってしまいポケットの目的を達しない場合も考えられるので調整が必要である。
このような調整は、複数のポケットの全てに必要である。【００１３】  このように構成したゴルフ練習装置１０の使用例について説明する。
図１で示したゴルフ練習装置１０を室内で使用するには、装置の２乃至３メータ手前から、ショートアプローチの練習をする。
この時、自分のイメージした距離と打球の球種とを考えて、打ち込むポケットの高さを決めてから、アプローチの練習を行う。すなわち、打球が着地点近くで止まる球種の場合は、高い位置のポケットへ、逆に、着地点からころがる球種の場合は、低いポケットをねらって打つなど、距離と球種とを打ち分けた練習ができるものである。
この装置は室内だけでなく屋外で使用することも可能である。屋外であれば、室内よりも離れた位置からの、アプローチ練習ができるものであり、アプローチの練習場が少ないゴルフ愛好者にとって有難い装置である。【００１４】  練習後に本装置を薄形化して、仮置きする状態について、図面を参照して説明する。図１０は図１の仮置き状態を示す説明図である。
図１０で示すように本装置を仮置きする場合は、取付枠２０と脚柱３０とを接続する１対の連結桟３７の両側に取付けられた蝶ボルトを緩めると共に、連結桟３７の取付枠２０側を上昇させると、図５で示した連結桟３７の切欠き３８によって、取付枠２０から外れる。
この状態で取付枠２０と脚柱３０とを、図中の矢印で示す方向に押圧して、両者を接近させることで、ゴルフ練習装置１０の奥行きを短くできるので、狭い空間に仮置きすることができる。
外れた連結桟３７は、脚柱３０にそって上昇させると共に、緩めた脚柱側の蝶ボルト１４を締付けると、図１０で示した状態の起立した姿勢に、ゴルフ練習装置を維持するものである。
従って、この姿勢で室内の隅に置けば、邪魔になることも少なくて、次回の練習迄の仮置きが可能となる。【００１５】  本装置は、ショートアプローチでの一連の動作を、距離を変えて４段階の高さで打ち分けられ、あらゆる場面を想定して練習することで、その感覚を身に付けることができるという大きな特徴がある。
ポケット形成紐の張り具合を、調整可能にしたことも大きな特徴の１つである。
網や紐は新品の状態と、使いなれた状態では網目の張り具合が異なるものであり、古くなる程なじんで伸びた状態になり易い。ポケット形成紐が伸びると張り具合が変化して、前述したとおり垂れ下ったポケットが形成され易い。本装置のポケットは、その深さ方向を浅く設定しているので、ポケットの変形は、確実な捕球にも支障をきたすことになり望ましくない。
ポケットの形状を一定の条件に設定したり、打球がポケット形成紐に当って、跳ね返りを吸収して危険を阻止するためにも、このポケット形成紐の長さ調整装置は絶対に必要であり、この調整によって、常に一定の条件で練習ができるものである。【００１６】  ポケットの深さを浅くしたことも大きな特徴の１つであり、本装置の前方から、打球の回収が容易となったことは当然であるが、ポケットが浅いと横にずれた打球が網に当ってから、球は略真下に落下するので、ポケット内の球の位置によって、横ずれ方向の程度があとからでも判明できる作用を有する。
また、ポケットを浅くしたことによって、網目を波形に折曲するだけで、容易にポケットを形成することができるという特徴もある。
取付枠２０の上部を、練習者の方向へ傾斜させたことによって、ミスショットの球が後方へ逃げたりすることもなく、装置の重心も後方に片寄らないので、装置の倒れを阻止するようにも作用している。
ポケットの形成は、別体の袋状物を必要とするものではなくて、波形に折曲するだけであるから、捕球網は網体の表裏に関係なくどちら向きにも取付けできる。
更に、捕球網の長手方向を二等分する中心線から、対称にポケット形成紐を設けたことで、網体の表裏だけでなく、上下方向の向きに関係なく取付けできるという作用を有するものである。
【図面の簡単な説明】
【００１７】
【図１】    本発明のゴルフ練習装置を示す斜視図である。
【図２】    図１の分解斜視図である。
【図３】    図２で示す基台を分解して示す斜視図である。
【図４】    図３で示す取付枠の分解斜視図である。
【図５】    図３で示す脚柱の分解斜視図である。
【図６】    図２で示した捕球網の斜視図である。
【図７】    図６で示すポケット形成紐の取付を示す説明図である。
【図８】    図４で示した取付枠の小孔へ捕球網用の取付手段を取付けする説明図である。
【図９】    捕球網によるポケットの形成を示す説明図である。
【図１０】    本発明のゴルフ練習装置の仮置き状態を示す説明図である。
【符号の説明】
【００１８】  １０  ゴルフ練習装置
１２  基台
１６  取付手段
２０  取付枠
２２  主柱
２５  差込み
２６  連結具
２８  連結具
３０  脚柱
３２  支え本体
３６  連結具
３７  連結桟
４０  捕球網
４２  ポケット
４３  波形
４４  ポケット形成紐
４５  輪
【図１】
2005312879.tif 000003
【図２】
2005312879.tif 000004
【図３】
2005312879.tif 000005
【図４】
2005312879.tif 000006
【図５】
2005312879.tif 000007
【図６】
2005312879.tif 000008
【図７】
2005312879.tif 000009
【図８】
2005312879.tif 000010
【図９】
2005312879.tif 000011
【図１０】
2005312879.tif 000012